【手続補正書】
【提出日】平成23年8月29日(2011.8.29)
【手続補正１】
【補正対象書類名】特許請求の範囲
【補正対象項目名】全文
【補正方法】変更
【補正の内容】
【特許請求の範囲】
【請求項１】
偏光子を有する長尺の偏光シート原反を長手方向に沿って切断して、所定の切断幅からなる長尺の帯状偏光シートを製造するために、上記偏光シート原反を上記長手方向に沿って切断する際の切断情報を決定する切断情報決定方法であって、
上記偏光シート原反に含まれる欠点の位置情報を検出する欠点検出ステップと、
検出した欠点の位置情報に基づいて、上記長手方向に直交する幅方向の複数ポイントにおいて、それぞれ上記長手方向に存在する欠点を計数する欠点計数ステップと、
計数した上記複数ポイントにおける欠点の数に基づいて、上記偏光シート原反を上記長手方向に沿って切断する際の上記幅方向における切断位置を決定する切断位置決定ステップとを備えたことを特徴とする切断情報決定方法。
【請求項２】
上記帯状偏光シートは、予め定められた切断幅で切断されることにより形成され、その長手方向に所定の切断長さに切断することにより、予め定められたサイズからなる矩形形状の偏光シート片を複数形成するためのものであり、
計数した上記複数ポイントにおける欠点の数に基づいて、複数の上記切断位置の候補を抽出する候補抽出ステップを備え、
上記切断位置決定ステップでは、抽出された上記複数の切断位置の候補の中から、その切断位置での上記切断幅内における上記長手方向に存在する欠点の位置情報に基づいて、上記切断位置を決定することを特徴とする請求項１に記載の切断情報決定方法。
【請求項３】
候補として抽出された上記複数の切断位置での上記切断幅内における上記長手方向に存在する欠点の位置情報に基づいて、各切断位置で切断した場合における上記予め定められたサイズの偏光シート片の歩留りを算出する歩留り算出ステップを備え、
上記切断位置決定ステップでは、算出された歩留りに基づいて、上記切断位置を決定することを特徴とする請求項２に記載の切断情報決定方法。
【請求項４】
偏光子を有する長尺の偏光シート原反を長手方向に沿って切断して、所定の切断幅からなる長尺の帯状偏光シートを製造するために、上記偏光シート原反を上記長手方向に沿って切断する際の切断情報を決定する切断情報決定方法であって、
上記偏光シート原反に含まれる欠点の位置情報を検出する欠点検出ステップと、
検出した欠点の位置情報に基づいて、上記長手方向に直交する幅方向の複数ポイントにおいて、それぞれ上記長手方向に存在する欠点を計数する欠点計数ステップと、
計数した上記複数ポイントにおける欠点の数に基づいて、上記偏光シート原反を上記長手方向に沿って切断する際の切断幅を決定する切断幅決定ステップとを備えたことを特徴とする切断情報決定方法。
【請求項５】
上記帯状偏光シートは、予め定められた切断位置に対して任意の切断幅で切断されることにより形成され、その長手方向に所定の切断長さに切断することにより、任意のサイズからなる矩形形状の偏光シート片を複数形成するためのものであり、
計数した上記複数ポイントにおける欠点の数に基づいて、複数の上記切断幅の候補を抽出する候補抽出ステップを備え、
上記切断幅決定ステップでは、抽出された上記複数の切断幅の候補の中から、上記予め定められた切断位置での各切断幅内における上記長手方向に存在する欠点の位置情報に基づいて、上記切断幅を決定することを特徴とする請求項４に記載の切断情報決定方法。
【請求項６】
上記予め定められた切断位置での候補として抽出された上記複数の切断幅内における上記長手方向に存在する欠点の位置情報に基づいて、各切断幅で切断した場合における各サイズの上記偏光シート片の歩留りを算出する歩留り算出ステップを備え、
上記切断幅決定ステップでは、算出された歩留りと上記偏光シート片の各サイズに対応する係数とに基づいて、上記切断幅を決定することを特徴とする請求項５に記載の切断情報決定方法。
【請求項７】
偏光子を有する長尺の偏光シート原反を長手方向に沿って切断して、所定の切断幅からなる長尺の帯状偏光シートを製造するために、上記偏光シート原反を上記長手方向に沿って切断する際の切断情報を決定する切断情報決定方法であって、
上記偏光シート原反に含まれる欠点の位置情報を検出する欠点検出ステップと、
検出した欠点の位置情報に基づいて、上記長手方向に直交する幅方向の複数ポイントにおいて、それぞれ上記長手方向に存在する欠点を計数する欠点計数ステップと、
計数した上記複数ポイントにおける欠点の数に基づいて、上記偏光シート原反を上記長手方向に沿って切断する際の上記幅方向における切断位置及び切断幅を決定する切断情報決定ステップとを備えたことを特徴とする切断情報決定方法。
【請求項８】
上記帯状偏光シートは、任意の切断位置に対して任意の切断幅で切断されることにより形成され、その長手方向に所定の切断長さに切断することにより、任意のサイズからなる矩形形状の偏光シート片を複数形成するためのものであり、
計数した上記複数ポイントにおける欠点の数に基づいて、複数の上記切断位置及び上記切断幅の組み合わせの候補を抽出する候補抽出ステップを備え、
上記切断情報決定ステップでは、抽出された上記複数の組み合わせの候補の中から、その切断位置での対応する切断幅内における上記長手方向に存在する欠点の位置情報に基づいて、上記切断位置及び上記切断幅を決定することを特徴とする請求項７に記載の切断情報決定方法。
【請求項９】
候補として抽出された上記複数の組み合わせに対応する上記切断位置での上記切断幅内における上記長手方向に存在する欠点の位置情報に基づいて、各組み合わせで切断した場合における各サイズの上記偏光シート片の歩留りを算出する歩留り算出ステップを備え、
上記切断情報決定ステップでは、算出された歩留りと上記偏光シート片の各サイズに対応する係数とに基づいて、上記切断位置及び上記切断幅を決定することを特徴とする請求項８に記載の切断情報決定方法。
【請求項１０】
請求項１〜９のいずれかに記載の切断情報決定方法により決定された切断情報に基づいて、上記偏光シート原反を上記長手方向に沿って切断することにより、上記帯状偏光シートを製造することを特徴とする帯状偏光シートの製造方法。
【請求項１１】
請求項１０に記載の帯状偏光シートの製造方法により製造された帯状偏光シートを幅方向に沿って切断することにより、矩形形状の偏光シート片を複数形成し、それらの偏光シート片を表示基板に貼り合せることにより光学表示ユニットを製造する光学表示ユニットの製造方法であって、
上記欠点の位置情報に基づいて上記帯状偏光シートを上記幅方向に沿って切断することにより、上記偏光シート片を形成する切断ステップと、
上記偏光シート片を上記表示基板に貼り合せる貼合ステップとを備えたことを特徴とする光学表示ユニットの製造方法。
【請求項１２】
請求項１０に記載の帯状偏光シートの製造方法により製造され、上記欠点の位置情報を保持していることを特徴とする帯状偏光シート。
【請求項１３】
請求項１〜９のいずれかに記載の切断情報決定方法により決定された切断情報を保持していることを特徴とする偏光シート原反。
【手続補正２】
【補正対象書類名】明細書
【補正対象項目名】００２２
【補正方法】変更
【補正の内容】
【００２２】
第５の本発明に係る切断情報決定方法は、上記帯状偏光シートは、予め定められた切断位置に対して任意の切断幅で切断されることにより形成され、その長手方向に所定の切断長さに切断することにより、任意のサイズからなる矩形形状の偏光シート片を複数形成するためのものであり、計数した上記複数ポイントにおける欠点の数に基づいて、複数の上記切断幅の候補を抽出する候補抽出ステップを備え、上記切断幅決定ステップでは、抽出された上記複数の切断幅の候補の中から、上記予め定められた切断位置での各切断幅内における上記長手方向に存在する欠点の位置情報に基づいて、上記切断幅を決定することを特徴とする。
【手続補正３】
【補正対象書類名】明細書
【補正対象項目名】００２４
【補正方法】変更
【補正の内容】
【００２４】
第６の本発明に係る切断情報決定方法は、上記予め定められた切断位置での候補として抽出された上記複数の切断幅内における上記長手方向に存在する欠点の位置情報に基づいて、各切断幅で切断した場合における各サイズの上記偏光シート片の歩留りを算出する歩留り算出ステップを備え、上記切断幅決定ステップでは、算出された歩留りと上記偏光シート片の各サイズに対応する係数とに基づいて、上記切断幅を決定することを特徴とする。
【手続補正４】
【補正対象書類名】明細書
【補正対象項目名】００３０
【補正方法】変更
【補正の内容】
【００３０】
第９の本発明に係る切断情報決定方法は、候補として抽出された上記複数の組み合わせに対応する上記切断位置での上記切断幅内における上記長手方向に存在する欠点の位置情報に基づいて、各組み合わせで切断した場合における各サイズの上記偏光シート片の歩留りを算出する歩留り算出ステップを備え、上記切断情報決定ステップでは、算出された歩留りと上記偏光シート片の各サイズに対応する係数とに基づいて、上記切断位置及び上記切断幅を決定することを特徴とする。